(57)【要約】【課題】可搬型メディアを含む複数の記憶領域を持つストレージ装置において、他の装置にてデータを編集された可搬型メディアをストレージ装置に戻した際の管理データの同期において、ストレージ装置に負荷を軽減させる。【解決手段】編集されたデータに対応する可搬型記憶メディア１０２内にある管理データを更新する手段と、ストレージ装置１０１にて可搬型記憶メディアが装着された際に、閲覧されている状態であるストレージ装置１０１内の管理データと可搬型記憶メディア１０２内の管理データと比較する手段と、可搬型記憶メディア１０２内の管理データが更新されているかを検知する手段と、更新されたと検知された管理データのみに関して、ストレージ装置１０１内にある管理データを、可搬型記憶メディア１０２内にある管理データを用いて更新する手段とを備えた。【選択図】図１
2008186300.tif 000002
【特許請求の範囲】
【請求項１】
管理を行う全ての実データから縮小画像データと情報データとを作成、抽出し、前記縮小画像データ及び前記情報データを基に、全ての実データに対する管理データを作成し、内部に有する記憶手段の記憶領域に作成した管理データを保存し、操作手段及び表示手段により、保存した管理データを利用して、実データの閲覧、呼び出し、検索、及び編集を行うことが可能なストレージ装置と、前記ストレージ装置に装着され、実データと共に保存される実データに対応する管理データを保存することが可能な１つ又は複数の可搬型記憶メディアと、前記可搬型記憶メディアを装着でき、前記可搬型記憶メディアに保存されている実データを編集することが可能な編集装置とからなるストレージシステムであって、
前記ストレージ装置において、保存した管理データを利用して、該管理データに対応する実データを呼び出す手段と、
前記記憶手段の記憶領域に、当該ストレージ装置が管理している１つ又は複数の前記可搬型記憶メディアに記録されている実データに対応する管理データを全て記憶しておく手段と、
前記可搬型記憶メディアが取り外されている状態で管理データを利用して実データの要約を閲覧する手段と、
閲覧されている状態の実データを認知及び管理する手段と、
前記編集装置において、当該編集装置に装着された前記可搬型記憶メディア内の実データを編集する手段と、
編集された実データに対応する前記可搬型記憶メディア内にある管理データを更新する手段と、
前記ストレージ装置にて前記可搬型記憶メディアが装着されたことを検知する手段と、
装着された際に、閲覧されている状態である前記ストレージ装置内の管理データと前記可搬型記憶メディア内の管理データとを比較する手段と、
前記可搬型記憶メディア内の管理データが更新されているかを検知する手段と、
更新されたと検知された管理データのみに関して、前記ストレージ装置内にある管理データを、前記可搬型記憶メディア内にある管理データを用いて更新する手段とを備えたことを特徴とするストレージシステム。
【請求項２】
前記可搬型記憶メディアが装着された際に、閲覧された状態にないストレージ装置内の管理データを、前記可搬型記憶メディア内の管理データと比較しない手段と、
前記可搬型記憶メディアの挿抜の履歴を管理する手段と、
管理データを利用して実データの要約を閲覧してから、その次に該管理データの閲覧が行われるまでに、前記可搬型記憶メディアの挿抜があったかを管理する手段と、
挿抜があった場合のみ、管理データの閲覧の際に、前記ストレージ装置内の管理データと前記可搬型記憶メディア内の管理データとを比較する手段と、
前記可搬型記憶メディア内の管理データが更新されているかを検知する手段と、
更新されたと検知された管理データのみに関して、前記ストレージ装置内にある管理データを、前記可搬型記憶メディア内にある管理データを用いて更新する手段とを有することを特徴とする請求項１に記載のストレージシステム。
【請求項３】
前記ストレージ装置にて前記可搬型記憶メディアが取り外されている状態でも、前記記憶手段の記憶領域に記憶された管理データを利用して実データを編集する手段と、
編集した結果の実データの要約を表示する手段と、
閲覧、編集されている状態の実データを認知及び管理する手段と、
前記可搬型記憶メディアが装着されたことを検知する手段と、
前記可搬型記憶メディアが装着された際に、閲覧、編集された状態である前記ストレージ装置内の管理データと前記可搬型記憶メディア内の管理データとを比較する手段と、
前記可搬型記憶メディア内の管理データと異なっていることを検知する検知手段と、
異なっていると検知された管理データのみに関して、前記可搬型記憶メディア内にある管理データを、前記ストレージ装置内にある管理データを用いて更新する手段とを有することを特徴とする請求項１又は２に記載のストレージシステム。
【請求項４】
前記可搬型記憶メディアが取り出されている状態を検知する手段と、
前記可搬型記憶メディアが取り出されている状態において前記記憶手段の記憶領域に記憶された管理データを利用して情報データを編集する手段と、
情報データが編集されたことを記憶する手段と、
前記可搬型記憶メディアが装着された際に、記憶されている前記可搬型記憶メディアが取り外されている状態において編集された情報データに対応する前記可搬型記憶メディア内にある管理データのみに関して、前記ストレージ装置内にある管理データを用いて更新する手段とを有することを特徴とする請求項１〜３のいずれか１項に記載のストレージシステム。
【請求項５】
前記可搬型記憶メディアが装着された際に、閲覧された状態である前記ストレージ装置内の管理データと前記可搬型記憶メディア内の管理データとを比較する手段と、
前記可搬型記憶メディア内の管理データと異なっていることを検知する手段と、
異なっていると検知された管理データのみに関して、双方に記録されている管理データを、前記可搬型記憶メディア内にある管理データと、前記ストレージ装置内にある管理データのどちらを用いて更新するかを選択できる手段とを有することを特徴とする請求項１〜４のいずれか１項に記載のストレージシステム。
【発明の詳細な説明】
【技術分野】
【０００１】
本発明は、管理データを用いてデータの管理を行うストレージ装置と、データを記憶する可搬型記憶メディアと、可搬型記憶メディアに記憶されているデータの編集を行う編集装置とからなるストレージシステムにおけるデータ処理に関する技術である。
【背景技術】
【０００２】
近年、多くの画像データ、大容量なカラー動画像データ、その他さまざまな形式のマルチメディアデータを共有で利用するために保存、管理を行うストレージ装置が出てきている。このようなストレージ装置には、データの管理や、閲覧、検索を容易に行うために、データに対する管理情報データを持つように構成されたものがある。このような管理情報データを持つように構成されたストレージ装置においては、管理情報データを利用してデータの概要を把握したり、所望のデータを検索したり、また所望のデータを取り出したりといったことができる。さらに、ストレージ装置をネットワークで接続し、ＰＣなどの装置から、このストレージ装置にアクセスして、管理情報データを利用する場合もある。この場合、複数のユーザが管理情報データにアクセスすることもある。
【０００３】
また、従来この種のストレージ装置は、固定型の記憶メディアを持ち、そこにデータを蓄積していたが、近年では、可搬型の記憶メディアのドライブを搭載するようになっている。このような可搬型記憶メディアをストレージ装置に接続することにより、大容量のデータを蓄積した際の、データ保存オーバーフローを防ぎ、また自由に、大容量のデータを持ち歩くことができるシステムを構築できる。
【０００４】
こうしたシステム構成においては、データ量の少ない管理データをストレージ装置側の記憶領域に保存し、データ量の大きい実データを可搬型記憶メディアに保存する場合が多い。これにより、可搬型記憶メディアが取り外されている状態でも、管理データを利用してデータの概要を閲覧したり、検索を行ったりすることができ、またどの可搬型記憶メディアにデータが存在しているかを管理することができる。さらに可搬型記憶メディアが取り外されている状態でも、管理データの編集、変更を行うことができるものも存在する。
【０００５】
このような状況において、この可搬型記憶メディアを取り出し、外部の編集装置にてデータの編集を行いたいという要望があり、さらにストレージ装置で行うことと同様な、閲覧や検索、概要把握を行いたいという要望もある。そこで、管理データ自体もストレージ装置から可搬型記憶メディアにコピーし、持ち出せるようになっているシステムも出てきている。
【０００６】
このような状況においては、外部でデータの編集が行われたり、データが追加、削除されたりすることに伴う管理データの変更と、ストレージ装置内の管理データとの整合性が問題となってきている。また、ストレージ装置に係る従来技術としては、例えば特許文献１、特許文献２、及び特許文献３がある。
【０００７】
【特許文献１】特開平７−２１９９６４号公報
【特許文献２】特開平７−３３４５０９号公報
【特許文献３】特許第２８２３２８０号
【発明の開示】
【発明が解決しようとする課題】
【０００８】
しかしながら、上記従来の技術において、以下のような問題点があった。
【０００９】
可搬型記憶メディアをストレージ装置に戻した際に、変更されている管理データ全ての同期を行った場合、ストレージ装置に集中的な負荷がかかり、すでに閲覧や検索などの操作を行っているユーザの作業に影響を与えてしまう。
【００１０】
管理データにアクセスした際に、毎回管理データの同期を行うと、ストレージ装置の動作に負荷がかかり、閲覧、検索などの動作が速くできない。
【００１１】
可搬型記憶メディアが取り出されている状態で、ストレージ装置内にある管理データが変更された場合、可搬型記憶メディアが装着されるたびに、変更されたデータの同期を行うために、ストレージ装置の全データの更新状況を検索しなければならない。そのため、ストレージ装置の処理に負荷がかかった。
【００１２】
閲覧、編集中に、可搬型記憶メディアが装着され、同期の処理が行われた場合、システムにある管理データにて同期を取るか、可搬型記憶メディアの管理データにて同期を取るかが判断できなかった。
【００１３】
本発明は係る実情に鑑みてなされたものであり、ストレージ装置の処理の負荷が軽減でき、より早く同期できるストレージシステムを提供することを目的とする。
【課題を解決するための手段】
【００１４】
本発明のストレージシステムは、管理を行う全ての実データから縮小画像データと情報データとを作成、抽出し、前記縮小画像データ及び前記情報データを基に、全ての実データに対する管理データを作成し、内部に有する記憶手段の記憶領域に作成した管理データを保存し、操作手段及び表示手段により、保存した管理データを利用して、実データの閲覧、呼び出し、検索、及び編集を行うことが可能なストレージ装置と、前記ストレージ装置に装着され、実データと共に保存される実データに対応する管理データを保存することが可能な１つ又は複数の可搬型記憶メディアと、前記可搬型記憶メディアを装着でき、前記可搬型記憶メディアに保存されている実データを編集することが可能な編集装置とからなるストレージシステムであって、前記ストレージ装置において、保存した管理データを利用して、該管理データに対応する実データを呼び出す手段と、前記記憶手段の記憶領域に、当該ストレージ装置が管理している１つ又は複数の前記可搬型記憶メディアに記録されている実データに対応する管理データを全て記憶しておく手段と、前記可搬型記憶メディアが取り外されている状態で管理データを利用して実データの要約を閲覧する手段と、閲覧されている状態の実データを認知及び管理する手段と、前記編集装置において、当該編集装置に装着された前記可搬型記憶メディア内の実データを編集する手段と、編集された実データに対応する前記可搬型記憶メディア内にある管理データを更新する手段と、前記ストレージ装置にて前記可搬型記憶メディアが装着されたことを検知する手段と、装着された際に、閲覧されている状態である前記ストレージ装置内の管理データと前記可搬型記憶メディア内の管理データとを比較する手段と、前記可搬型記憶メディア内の管理データが更新されているかを検知する手段と、更新されたと検知された管理データのみに関して、前記ストレージ装置内にある管理データを、前記可搬型記憶メディア内にある管理データを用いて更新する手段とを備えたことを特徴とする。
【発明の効果】
【００１５】
本発明によれば、可搬型記憶メディアを装着した際に、必要とされている部分だけのデータの同期を行うので、ストレージ装置の処理の負荷が軽減でき、より早く同期できると共に、利用しているユーザの操作の妨げにもならない。
さらに、ユーザからのデータへのアクセスの際に、可搬型記憶メディアの挿抜履歴を元に、挿抜されていた場合のみ、同期のためのデータ更新の検知を行うので、ストレージ装置の処理の負荷を軽減できる。
また、可搬型記憶メディアが取り出されている状態で、ストレージ装置内で管理データの編集、更新が行われた場合、可搬型記憶メディアが戻された際に全てのデータの同期を行わず、閲覧や編集により管理データにアクセスされ更新されたものにのみ同期を行う。これにより、ストレージ装置の処理の負荷を軽減しながら、データの同期を行うことができる。
さらに、アクセス中の管理データに対して、装着された可搬型メディア内の管理データで更新を行うかどうかを選択することができる。
【発明を実施するための最良の形態】
【００１６】
以下に図面を参照して、本発明の実施形態の一例を説明する。本実施形態では、ＬＡＮに接続されているストレージ装置と、そのＬＡＮにて接続されるクライアントＰＣ、およびＬＡＮにて接続されていない編集装置からなるストレージシステムを説明する。
【００１７】
＜システム構成＞
本実施形態で想定するシステムの構成図を図１に示す。図１において、１０１は、ストレージサーバ装置（以下、ストレージ装置）である。ストレージ装置１０１は、システムディスクと、リムーバブルディスク１０２を接続するドライブとを有する。更に、ストレージ装置１０１は、ＬＡＮ１０５を介してＰＣ１０３よりアクセスされ、管理データや実データを提供し、検索などのサービスを提供し、さらにデータの蓄積管理を行う機能を有する。以上のような構成を備えたストレージ装置１０１は、管理を行う全ての実データに対して、そのデータから縮小画像データと情報データを作成、抽出し、そこから管理データを作成し、自身の記憶領域に管理データを保存する。さらに操作手段、表示手段を持ち、その管理データを利用して、実データ又はその要約の閲覧、呼び出し、検索、編集を行うことができる。
【００１８】
１０２は、可搬型記憶メディアであるリムーバブルディスク（以下、Ｒ−ＨＤ）であり、ストレージ装置１０１又は編集装置１０４に装着され、蓄積すべき画像ファイルやドキュメントファイルを記録し、管理データなども蓄積する。なお、Ｒ−ＨＤ１０２は、ストレージ装置１０１又は編集装置１０４に脱着可能である。１０３−１及び１０３−２は、クライアントＰＣ（以下、ＰＣ）であり、ＬＡＮ１０５に接続され、ストレージ装置１０１にアクセスして操作を行う。
【００１９】
１０４は、編集装置であり、Ｒ−ＨＤ１０２を接続するドライブを有し、更にＲ−ＨＤ１０２内に蓄積されている実データを編集したり、管理データを更新したりする機能を有する。
【００２０】
１０５は、ＬＡＮであり、ＰＣ１０３や他のストレージサーバ装置との通信を行う。
【００２１】
図２にストレージ装置１０１のハード構成図を示す。図２において、２０１は中央制御部（ＣＰＵ）、２０２はＲＯＭ、２０３はＲＡＭである。
【００２２】
２０４は、システムデータ記憶部であり、ストレージ装置１０１のデバイス情報や設定情報を記憶する。このシステムデータ記憶部２０４は、後述のシステムディスク６０１内にある。
【００２３】
２０５は、リムーバブルディスク管理情報記憶部であり、ストレージ装置１０１の管理するリムーバブルディスクのデバイス情報や設定情報を記憶する。このリムーバブルディスク管理情報記憶部２０５は、システムディスク６０１内にある。
【００２４】
２０６は、操作情報を表示するディスプレイなどの表示部である。２０７は、ユーザからの操作情報を入力するキーボードやボタン、タッチパネルなどのユーザＩ／Ｆ部である。
【００２５】
２０８は、管理データ記憶部であり、各Ｒ−ＨＤの実データに対する管理データを保存しておく。この管理データ記憶部２０８は、システムディスク６０１内にある。
【００２６】
２０９は、リムーバブルディスク挿抜管理部であり、Ｒ−ＨＤの挿抜の検知や、挿抜履歴の管理を行う。ここにて、挿抜フラグのセットを行う。
【００２７】
２１０は、アクセス状態検知部であり、ユーザからの実データや管理データに対するアクセス状況を検知する。ここにて、各ファイル、フォルダに対するユーザアクセス状態のセットを行う。
【００２８】
２１１は、管理データ作成部であり、実データに対するサムネイルやメタデータなどの管理データを作成する。ここにて、更新フラグのセットを行う。
【００２９】
２１２は、管理データ比較部であり、システムディスク内の管理データとＲ−ＨＤ内の管理データを比較する。
【００３０】
２１３は、データベース制御部であり、管理データを登録するデータベースを含み、検索などを行う。
【００３１】
２１４は、Ｒ−ＨＤの挿抜や、データの読み書きを行うリムーバブルディスクＩ／Ｆ部である。２１５は、ＬＡＮ１０５と接続し、ＰＣ１０３などとコマンドのやり取りを行う通信制御部である。２１６は、内部バスである。
【００３２】
図３にＲ−ＨＤ１０２のハード構成図を示す。３０１は、ＲＯＭであり、Ｒ−ＨＤのシリアル番号などの情報が設定されている。３０２は、データ記録部であり、保存する実データを蓄積する。３０３は、管理データ記録部であり、ストレージ装置１０１や編集装置１０４などで作成された管理データを保存する。ここにて、更新フラグのセットを行う。
【００３３】
３０４は、Ｒ−ＨＤ設定データ記憶部であり、ストレージ装置１０１から設定されるデータや情報を保存する。３０５は、ストレージ装置とのＩ／Ｆ部である。３０６は内部バスである。
【００３４】
図４にＰＣ１０３のハード構成図を示す。図４において、４０１は中央制御部（ＣＰＵ）、４０２はＲＯＭ、４０３はＲＡＭである。
【００３５】
４０４は、操作アプリ部であり、ストレージ装置１０１から送られてきた情報を元に表示画面を作成したり、ユーザの入力の情報をストレージ装置１０１に送ったりする。
【００３６】
４０５は、操作情報を表示するディスプレイなどの表示部である。４０６は、ユーザからの操作情報を入力するキーボードやボタン、タッチパネルなどのユーザＩ／Ｆ部である。
【００３７】
４０７は、ストレージ装置１０１を認識し、接続を行うストレージ装置アクセス部である。４０８は、ストレージ装置にアクセスするための設定を記憶するストレージ装置管理部である。
【００３８】
４０９は、通信制御部であり、ＬＡＮ１０５と接続し、ストレージ装置１０１や他のＰＣ１０３などとコマンドのやり取りを行う。４１０は内部バスである。
【００３９】
図５に編集装置のハード構成図を示す。図５において、５０１は中央制御部（ＣＰＵ）、５０２はＲＯＭ、５０３はＲＡＭである。
【００４０】
５０４は、Ｒ−ＨＤの挿抜や、データの読み書きを行うリムーバブルディスクＩ／Ｆ部である。５０５は、操作情報を表示するディスプレイなどの表示部である。
【００４１】
５０６は、ユーザからの操作情報を入力するキーボードやボタン、タッチパネルなどのユーザＩ／Ｆ部である。５０７は、Ｒ−ＨＤのデータを編集するデータ編集部である。
【００４２】
５０８は、実データに対するサムネイルやメタデータなどの管理データを作成する管理データ作成部である。５０９は、Ｒ−ＨＤへのアクセス管理や設定管理を行うリムーバブルディスク管理部である。５１０は内部バスである。
【００４３】
図６にストレージ装置とＲ−ＨＤの記憶領域構成図を示す。図６において、ストレージ装置のシステムディスク６０１内には、システムデータ記憶部２０４と、管理しているＲ−ＨＤの全ての管理データを記憶する管理データ記憶部２０８が存在している。また、各Ｒ−ＨＤの中には、管理データ記録部３０３とデータ記録部３０２が存在している。
【００４４】
ストレージ装置内の管理データ記憶部２０８は、Ｒ−ＨＤ内の実データの管理を行い、またＲ−ＨＤの管理データとの同期、更新を行う。
【００４５】
図７に管理データアクセス構成図を示す。図７において、ユーザ１が、ＰＣ１０３より、図中Ｒ−ＨＤ１にあるフォルダ１２に閲覧或いは編集のためにアクセスしていることを示している。
【００４６】
図８にＲ−ＨＤ１フォルダごとのアクセス管理図を示す。図８は、図７の状態におけるアクセスの状態を記録しているストレージ装置１０１の管理データ記憶部２０８にあるデータ、およびＲ−ＨＤの管理データ記録部３０３を示している。Ｒ−ＨＤは装着状態にあり、挿抜フラグはＯＦＦになっている。
【００４７】
図９にＲ−ＨＤ１を取り出した際のフォルダごとのアクセス管理図を示す。図９は、図８の状態からＲ−ＨＤを取り出した状態におけるストレージ装置１０１の管理データ記憶部２０８にあるデータ、およびＲ−ＨＤの管理データ記録部３０３を示している。ここで編集装置１０４においてＲ−ＨＤのファイル１１、１３が更新され、更新ファイルフラグがセットされている。
【００４８】
また、システムディスクのファイル１５はストレージ装置１０１内で更新されている。ユーザ１はフォルダ１１にアクセス状態にあり、Ｒ−ＨＤは取り出し状態、挿抜フラグはＯＮになっている。
【００４９】
図１０にＲ−ＨＤ１を装着した際のフォルダごとのアクセス管理図を示す。図１０は、図９の状態からＲ−ＨＤ１のファイル１１、１３を編集装置１０４にて編集し、再びストレージ装置１０１装着した際の、ストレージ装置１０１の管理データ記憶部２０８にあるデータ、およびＲ−ＨＤの管理データ記録部３０３を示している。
【００５０】
ここでフォルダ１１はユーザ１からアクセス状態なので、その中にあるファイル１１はデータの更新が行われ、更新ファイルフラグはクリアされる。さらに挿抜フラグもＯＦＦとなる。
【００５１】
フォルダ１２、フォルダ１３はアクセス状態にないので、挿抜フラグはＯＮのままであり、フォルダ１２内のファイル１３、フォルダ１３内のファイル１５も更新されない。
【００５２】
図１１に、Ｒ−ＨＤ１にユーザ２がアクセスした際のフォルダごとのアクセス構成図
を示す。図１１は、図７の状態から、ユーザ２がＰＣ１０３より、Ｒ−ＨＤ１にあるフォルダ１２にアクセスしていることを示している。
【００５３】
図１２に、Ｒ−ＨＤ１にユーザ２がアクセスした際のフォルダごとのアクセス管理図を示す。図１２は、図１０の状態からユーザ２がＰＣ１０３より、Ｒ−ＨＤ１にあるフォルダ１２にアクセスした際の、ストレージ装置１０１の管理データ記憶部２０８にあるデータ、およびＲ−ＨＤの管理データ記録部３０３を示している。
【００５４】
ここで、ファイル１３にユーザ２がアクセスすることにより、データが更新され、更新ファイルフラグがクリアされている。また挿抜フラグもＯＦＦとなる。
【００５５】
図１３に、異なるディスクに対するアクセス構成図を示す。図１３において、ユーザ１、ユーザ２、ユーザ３が、それぞれＰＣ１０３より、Ｒ−ＨＤ１にあるフォルダ１１、Ｒ−ＨＤ２にあるフォルダ２１、Ｒ−ＨＤ３にあるフォルダ３１にアクセスしていることを示している。
【００５６】
図１４に、異なるディスクに対するアクセス管理図を示す。図１４において、Ｒ−ＨＤ１では、Ｒ−ＨＤ１を取り外した後、システムディスク６０１内のファイル１１に対応する管理データを編集し、更新ファイルフラグがセットされている。またＲ−ＨＤ２では、Ｒ−ＨＤ２を取り外した後、システムディスク６０１内のファイル２３に対応する管理データを編集し、更新ファイルフラグがセットされている。またＲ−ＨＤ３では、Ｒ−ＨＤ３を取り外した後、システムディスク６０１内のファイル３５に対応する管理データ及び、編集装置１０４にてＲ−ＨＤ３内のファイル３５及びファイル３６を編集し、更新ファイルフラグがセットされている。
【００５７】
図１５に、装着した際の異なるディスクに対するアクセス構成図を示す。図１５は、編集装置１０４からストレージ装置１０１にＲ−ＨＤ１、Ｒ−ＨＤ２、Ｒ−ＨＤ３を戻した際に、ユーザ１、ユーザ３が、それぞれＰＣ１０３より、Ｒ−ＨＤ１にあるフォルダ１１、Ｒ−ＨＤ３にあるフォルダ３１にアクセスしていることを示している。
【００５８】
図１６に、装着した際の異なるディスクに対するアクセス管理図を示す。図１６において、Ｒ−ＨＤ１では、ユーザ１がフォルダ１１にアクセスしていため、その中のファイル１１が更新され、更新ファイルフラグがクリアされている。挿抜フラグもＯＦＦとなる。またＲ−ＨＤ２では、アクセスがないので、ファイル２３に対応する更新ファイルフラグがセットされている。挿抜フラグはＯＮのままである。またＲ−ＨＤ３では、システムディスク６０１内のファイル３５、Ｒ−ＨＤ３内のファイル３５及びファイル３６が編集されていて、ファイル３５はどちらのデータで更新するか選択できる。更新ファイルフラグはクリアされ、挿抜フラグもＯＦＦになる。
【００５９】
＜詳細動作説明＞
以下、本システムの具体的な動作をいくつかの場合に分けて説明を行う。ここでは、ストレージ装置１０１に挿入されていたＲ−ＨＤ１０２が抜かれ、編集装置１０４にて編集され、再びストレージ装置１０１に挿入された場合についての動作を示す。
【００６０】
図１７は、本発明の実施形態に係るシステムにおいて、Ｒ−ＨＤ取り出し時の動作フローチャートである。
【００６１】
まず、ストレージ装置１０１のユーザＩ／Ｆ部２０７からＲ−ＨＤの取り出し操作が入力されると（ステップＳ１７０１）、図１０のユーザアクセス内にある挿抜フラグＯＮのデータを検索する（ステップＳ１７０２）。
【００６２】
次に図１０のフォルダ１２、１３のように、挿抜フラグがＯＮであり、その中にフォルダ１３のファイル１５のようにシステムディスク更新フラグにセットされているデータがあるか判断する（ステップＳ１７０３）。データがあった場合、システムディスク内の管理データ２０８'でＲ−ＨＤ内の管理データ３０３'−１を更新し（ステップＳ１７０４）、システムディスク内の更新フラグをクリアする（ステップＳ１７０５）。さらに、全フォルダの挿抜フラグをＯＮにセットする（ステップＳ１７０６）。
【００６３】
これによって、ストレージ装置１０１内でローカルに編集されたデータをＲ−ＨＤ１０２にて持ち運ぶ際に、最新のデータを更新して取り出すことができ、さらに、全データの更新を検索することなくデータの更新を行える。よって、ストレージ装置１０１の処理の負荷を軽減できる。
【００６４】
図１８は、本発明の実施形態に係るシステムにおいて、Ｒ−ＨＤ装着時の動作フローチャートである。
【００６５】
まず、ストレージ装置１０１にＲ−ＨＤ１０２が装着されると（ステップＳ１８０１）、管理データ内のユーザがアクセス中のファイル、フォルダを検索する（ステップＳ１８０２）。
【００６６】
アクセス中のファイルフォルダがあったと認知すれば（ステップＳ１８０３）、図９のフォルダ１１のように挿抜フラグをＯＦＦにセットする（ステップＳ１８０４）。Ｒ−ＨＤ内の管理データ３０３'−１内の、図９のファイル１１のように更新されたデータがあれば（ステップＳ１８０５）、システムディスクの管理データ記憶部２０８内の更新されたデータがあるかを調べる（ステップＳ１８０６）。なければ、Ｒ−ＨＤの管理データ記録部３０３−１でシステムディスク内の管理データ２０８'の更新を行い（ステップＳ１８０７）、Ｒ−ＨＤの更新フラグをクリアする（ステップＳ１８０８）。そして別のアクセス中のファイル、フォルダを検索する（ステップＳ１８１５）。
【００６７】
ステップＳ１８０５にて、図１４にあるフォルダ１１のファイル１１のように、Ｒ−ＨＤ内に更新されたデータがない場合、システムディスク内に更新されたデータがあるか否か判定する（ステップＳ１８０９）。データがあれば、システムディスクの管理データ２０８'でＲ−ＨＤ内の管理データ３０３'−１の更新を行い（ステップＳ１８１０）、システムディスク内の更新フラグをクリアする（ステップＳ１８１１）。そして別のアクセス中のファイル、フォルダを検索する（ステップＳ１８１５）。
【００６８】
ステップＳ１８０７にて図１４のフォルダ３１のファイル３５のように、システムディスク内にも更新されたデータがあれば、図１５のユーザ３のアクセス表示のようにＰＣ１０３の表示部４０５に何れのデータで更新するかを選択させる（ステップＳ１８１２）。
【００６９】
ユーザＩ／Ｆ部４０６にて選択されたデータにて更新を行い（ステップＳ１８１３）、システムディスク、Ｒ−ＨＤの更新フラグをクリアする（ステップＳ１８１４）。そして別のアクセス中のファイル、フォルダを検索する（ステップＳ１８１５）。ステップＳ１８０３にてアクセス中のファイル、フォルダがなければ、終了する。
【００７０】
これによって、Ｒ−ＨＤが装着された際に、全てのデータの編集情報を検索し、編集されたデータを全て更新しなくてもよい。よって、ストレージ装置の処理負荷を軽減することができる。また、システムディスク、Ｒ−ＨＤのどちらの情報で更新を行うかも選択することができる。
【００７１】
図１９は、本発明の実施形態に係るシステムにおいて、ユーザからのデータアクセスがあった場合の動作フローチャートである。
【００７２】
まず、ＰＣ１０３からデータのアクセスが行われると（ステップＳ１９０１）、リムーバブルディスク挿抜管理部２０９にて、該当データが入っているＲ−ＨＤが装着されているかを調べる（ステップＳ１９０２）。装着されていれば、挿抜フラグを調べる（ステップＳ１９０３）。
【００７３】
図９のフォルダ１１のように挿抜フラグがＯＮであれば、挿抜フラグをＯＦＦにセットし（ステップＳ１９０４）、Ｒ−ＨＤ内の管理データが更新されているかを調べる（ステップＳ１９０５）。
【００７４】
更新されていれば、システムディスク内の管理データを更新し、図１０のフォルダ１１にようにデータ更新フラグをクリアする（ステップＳ１９０６）。そして、アクセス中にデータの編集が行われたかを調べ（ステップＳ１９０７）、編集が行われた場合、システムディスクの管理データ２０８'、Ｒ−ＨＤの管理データ３０３'を更新する（ステップＳ１９０８）。
【００７５】
さらにリムーバブルディスク挿抜管理部２０９にて、Ｒ−ＨＤ１０２の取り出しが行われたかを調べる（ステップＳ１９０９）。取り出されていない場合、アクセス状態検知部２１０にてデータアクセスが終了したかを検知し（ステップＳ１９１１）、終了していなければＳ１９０３に戻る。
【００７６】
ステップＳ１９０９にてＲ−ＨＤ１０２の取り出しが検知されたら、挿抜フラグをＯＮにセットし（ステップＳ１９１０）、ステップＳ１９１２に進む。
【００７７】
ステップＳ１９０２にてＲ−ＨＤ１０２が装着されていなかった場合、アクセス中にデータの編集が行われたかを調べる（ステップＳ１９１２）。編集が行われた場合、システムディスクの管理データ２０８'を更新し（ステップＳ１９１３）、図１４のフォルダ１１のように、システムディスクの管理データのデータ更新フラグをセットする（ステップＳ１９１４）。
【００７８】
さらに、リムーバブルディスク挿抜管理部２０９にて、該当データが入っているＲ−ＨＤが装着されているかを調べる（ステップＳ１９１５）。装着された場合、挿抜フラグをＯＦＦにセットし（ステップＳ１９１６）、データの更新がされているかを調べる（ステップＳ１９１７）。
【００７９】
データが更新されていれば、システムディスクの管理データ２０８'、Ｒ−ＨＤの管理データ３０３'、それぞれのデータにてデータの更新を行い（ステップＳ１９１８）、データ更新フラグをクリアする（ステップＳ１９１９）。
【００８０】
そして、ステップＳ１９０３に進む。ステップＳ１９１５にてＲ−ＨＤ１０２が装着されていない場合、アクセス状態検知部２１０にてデータアクセスが終了したかを検知し（ステップＳ１９２０）、終了していなければステップＳ１９１２に戻る。
【００８１】
これによって、Ｒ−ＨＤが装着された際に、全てのデータの編集情報を検索し、編集されたデータを全て更新しなくてもよいので、ストレージ装置の処理負荷を軽減することができる。また、前回アクセスを行い、再びアクセスを行うまでに、Ｒ−ＨＤの挿抜が行われなかったデータに関してはデータ更新の検索を行わないので、ストレージ装置１０１に処理の負荷を軽減することができる。
【００８２】
本実施形態では、可搬型記憶メディアをＲ−ＨＤとしていたが、これが光ディスクなどでも良い。また、Ｒ−ＨＤ内のデータシステムディスク内のデータそれぞれ、編集が行われたデータにて更新を行っているが、これを全てどちらのデータにて更新を行うかを選択できるようにしても良い。さらに、本実施形態では、操作をＰＣ１０３にてユーザアクセスを行い、データ更新を行っているが、ストレージ装置１０１のユーザＩ／Ｆ、表示部２０６を利用して行っても良い。
【図面の簡単な説明】
【００８３】
【図１】本発明の実施の形態に係るストレージシステムの構成図である。
【図２】本発明の実施の形態に係るストレージ装置のハード構成図である。
【図３】本発明の実施の形態に係るＲ−ＨＤのハード構成図である。
【図４】本発明の実施の形態に係るクライアント装置のハード構成図である。
【図５】本発明の実施の形態に係る編集装置のハード構成図である。
【図６】本発明の実施の形態に係るストレージ装置とＲ−ＨＤの記憶領域構成図である。
【図７】本発明の実施の形態に係る管理データアクセス構成図である。
【図８】本発明の実施の形態に係るＲ−ＨＤ１のフォルダごとのアクセス管理図である。
【図９】本発明の実施の形態に係るＲ−ＨＤ１のフォルダごとのアクセス管理図（取り出し時）である。
【図１０】本発明の実施の形態に係るＲ−ＨＤ１のフォルダごとのアクセス管理図（装着時）である。
【図１１】本発明の実施の形態に係るユーザ２がアクセスした際の管理データアクセス構成図である。
【図１２】本発明の実施の形態に係るユーザ２がアクセスした際のフォルダごとのアクセス管理図である。
【図１３】本発明の実施の形態に係る異なるディスクの管理データに対するアクセス構成図である。
【図１４】本発明の実施の形態に係る異なるディスクの管理データに対するアクセス管理図である。
【図１５】本発明の実施の形態に係る異なるディスクの管理データに対するアクセス構成図（装着時）である。
【図１６】本発明の実施の形態に係る異なるディスクの管理データに対するアクセス管理図（装着時）である。
【図１７】本発明の実施の形態に係るストレージシステムにおいて、Ｒ−ＨＤ取り出し時の動作に関するフローチャートである。
【図１８】本発明の実施の形態に係るストレージシステムにおいて、たＲ−ＨＤ装着時の動作に関するフローチャートである。
【図１９】本発明の実施の形態に係るストレージシステムにおいて、ユーザからのデータアクセスの動作に関するフローチャートである。
【符号の説明】
【００８４】
１０１  ストレージサーバ装置（ストレージ装置）
１０２  リムーバブルディスク（Ｒ−ＨＤ）
１０３  クライアントＰＣ（ＰＣ）
１０４  編集装置
１０５  ＬＡＮ
２０１  ＣＰＵ
２０２  ＲＯＭ
２０３  ＲＡＭ
２０４  システムデータ記憶部
２０５  リムーバブルディスク管理情報記憶部
２０６  表示部
２０７  ユーザＩ／Ｆ部
２０８  管理データ記憶部
２０８'  管理データ
２０９  リムーバブルディスク挿抜管理部
２１０  アクセス状態検知部
２１１  管理データ作成部
２１２  管理データ比較部
２１３  データベース制御部
２１４  リムーバブルディスクＩ／Ｆ部
２１５  通信制御部
３０１  ＲＯＭ
３０２  データ記録部
３０３  管理データ記録部
３０３'  管理データ
３０４  Ｒ−ＨＤ設定データ記憶部
３０５  Ｉ／Ｆ部
４０１  ＣＰＵ
４０２  ＲＯＭ
４０３  ＲＡＭ
４０４  操作アプリ部
４０５  表示部
４０６  ユーザＩ／Ｆ部
４０７  ストレージ装置アクセス部
４０８  ストレージ装置管理部
４０９  通信制御部
５０１  ＣＰＵ
５０２  ＲＯＭ
５０３  ＲＡＭ
５０４  リムーバブルディスクＩ／Ｆ部
５０５  表示部
５０６  ユーザＩ／Ｆ部
５０７  データ編集部
５０８  管理データ作成部
５０９  リムーバブルディスク管理部
【図１】
2008186300.tif 000003
【図２】
2008186300.tif 000004
【図３】
2008186300.tif 000005
【図４】
2008186300.tif 000006
【図５】
2008186300.tif 000007
【図６】
2008186300.tif 000008
【図７】
2008186300.tif 000009
【図８】
2008186300.tif 000010
【図９】
2008186300.tif 000011
【図１０】
2008186300.tif 000012
【図１１】
2008186300.tif 000013
【図１２】
2008186300.tif 000014
【図１３】
2008186300.tif 000015
【図１４】
2008186300.tif 000016
【図１５】
2008186300.tif 000017
【図１６】
2008186300.tif 000018
【図１７】
2008186300.tif 000019
【図１８】
2008186300.tif 000020
【図１９】
2008186300.tif 000021